(57)【要約】【課題】ＶｏＩＰシステムに移動端末を取り入れても、音声の途切れと遅延の少ないシームレスなハンドオーバが実施できるようにする。【解決手段】移動端末１ａと基地局６ａはインターネットプロトコルが実装され、移動端末１ａから基地局６ａへデータ送信されると、基地局６ａはインタフェース装置７ａから自己に割り当てられたチャネル、スロット、コードよりパケットを抽出してネットワーク５へ送信し、呼接続制御が完了すると通話が開始される。各制御はインタフェース装置７ａ，ゲートウェイ２ａ，ゲートキーパ３等により行われる。移動端末１ａの通話中にハンドオーバが発生すると、通話相手は、移動端末１ａと接続されている基地局６ａと隣接基地局に対して、移動端末１ａへのデータをマルチキャスト／ブロードキャストで転送し、移動端末１ａが位置登録されている基地局に対してのみ移動端末１ａへのデータを無線送信する。【選択図】　　　　図１
2004056336.tif 000002
【特許請求の範囲】
【請求項１】
インターネットで音声通話を行うＶｏＩＰシステムにおいて、
インターネットプロトコルが実装され、自己のＩＰアドレスを持つ移動端末と、
インターネットプロトコルが実装され、ネットワークとの接点を持って、前記ネットワークとの間でＩＰパケットによって構成されたデータの送受信を行うことができると共に、前記移動端末と移動体通信接続を実施することができて、所定のデータ領域に前記ＩＰパケットを挿入または抽出することができる基地局と
を備えたことを特徴とするＶｏＩＰシステム。
【請求項２】
請求項１に記載のＶｏＩＰシステムにおいて、
前記移動端末にハンドオーバが発生したとき、該移動端末が接続されている基地局及びその隣接の基地局、または全ての基地局に対して、前記移動端末へのデータをマルチキャストまたはブロードキャストで転送して、前記移動端末が位置登録されている基地局へのみ該移動端末へのデータを無線で送信することを特徴とするＶｏＩＰシステム。
【請求項３】
請求項１又は請求項２に記載のＶｏＩＰシステムにおいて、
前記基地局は複数個によって構成され、該複数の基地局は、上位装置またはマスタとなる基地局から定期的に同期信号を受信し、各基地局のデータは前記同期信号によって同期が取られていることを特徴とするＶｏＩＰシステム。
【発明の詳細な説明】
【０００１】
【発明の属する技術分野】
本発明は、端末装置がインターネットを介して音声通話を行うＶｏＩＰ（Ｖｏｉｃｅ　Ｏｖｅｒ　ｌｎｔｅｒｎｅｔ　ＰｒｏｔｃｏＩ）システムに関するものであり、より詳細には、端末装置が移動端末となる場合に関して、その移動端末と基地局とが効果的にハンドオーバを行って無線通信を実施する場合のＶｏＩＰシステムに関するものである。
【０００２】
【従来の技術】
ＶｏＩＰシステムは、既存のアナログ回線による音声専用線を用いることなく、ネットワークを介して音声通話を行うシステムである。この場合のネットワークは、ＩＰパケットを伝送することができれば、ディジタル専用線網であっても、フレームリレー網、ＩＰ−ＶＰＮ（ＩＰ　ｂａｓｅｄ　Ｖｉｒｔｕａｌ　Ｎｅｔｗｏｒｋ）、広域ネットワーク（ＷＡＮ：Ｗｉｄｅ　Ａｒｅａ　Ｎｅｔｗｏｒｋ）、ＬＡＮ（Ｌｏｃａｌ　Ａｒｅａ　Ｎｅｔｗｏｒｋ）のいずれの通信網であってもよいし、これらの通信網が混在しても構わない。また、ＶｏＩＰシステムは、パケット通信の特徴から、長距離電話を経済的に実現することができると共に音声通信とデータ通信の統合網を構築することができる。
【０００３】
図４は、端末装置として固定端末を適用した場合の従来のＶｏＩＰシステムの構成図である。オフィスなどに固定的に設置されている複数の固定端末１１ａ，１１ｂ〜１１ｎはネットワーク１５に接続されている。例えば、固定端末１１ａから所望の電話番号をダイヤルすると、固定端末１１ａと接続されているゲートウェイ１２ａが、ネットワーク１５に接続されているルータ１４ａ，１４ｃを介して、ゲートキーパ１３に対してダイヤルした電話番号に対応するＩＰアドレスを問い合わせる。そして、ゲートウェイ１２ａがゲートキーパ１３からＩＰアドレスを取得した後に所定のシーケンスで発呼の手順を行うと、固定端末１１ａは、ダイヤルした通話相手の端末装置との間で通話を開始することができる。このように、現在のＶｏＩＰシステムの実施形態は、通常、端末装置は固定端末である場合が一般的である。
【０００４】
尚、端末装置として固定端末の他に移動端末を想定したＶｏＩＰシステムが、例えば、特開２００１−１１９７４０号公報や特開２００２−４４７４０号公報などに開示されている。前者は、移動端末がハンドオーバを行う際に、移行前後の基地局に対して通信データを二重化して伝送することにより、音声接続を遅滞なく移行することのできる技術を開示している。また、後者は、ゲートウェイがＶｏＩＰインターネットプロトコルトラフィックを処理できるアーキテクチャを具備することによって、移動端末にＩＰアドレスを持たせることなくＶｏＩＰシステムを構築できる技術を開示している。
【０００５】
図５は、端末装置として移動端末を適用した場合の従来のＶｏＩＰシステムの構成図である。各移動端末１ａ〜１ｎとそれぞれの基地局８ａ，８ｂ〜８ｎ、またはそれに相当する設備との間は無線通信を実施している。そして、各基地局８ａ，８ｂ〜８ｎの各々と接続されているインタフェース装置７ａ’，７ｂ’〜７ｎ’がネットワーク５との間のインタフェースをとっている。尚、ゲートウェイ２ａ，２ｂやルータ４ａ，４ｂ，４ｃやゲートキーパ３などの設備は図４のＶｏＩＰシステムと同じである。つまり、図５に示すような構成によって、端末装置を移動端末とした場合でも固定端末と同様にＶｏＩＰシステムを構築することができる。
【０００６】
【発明が解決しようとする課題】
しかしながら、図５のようにＶｏＩＰシステムの端末装置を移動端末とした場合は、無線通信における正規のハンドオーバ手順に加え、さらに、ネットワークにおけるハンドオーバ、つまり、前述の固定端末の場合と同じような所定のシーケンスによる発着呼の手順をもう一度行う必要がある。そのため、ハンドオーバ時における音声の途切れや音声遅延が生じ、シームレスなハンドオーバを実行することができない。
【０００７】
また、前述の特開２００１−１１９７４０号公報の技術によれば、ハンドオーバが発生したとき、移行前後の基地局に対して通信データを二重化して伝送することによりハンドオーバを実施しているが、このとき、通話している相手に移行先の基地局と自らの識別番号を知らせる必要があり、ハンドオーバの処理を行うためのパケットの転送やパケットの解釈や制御を行うために時間を要するので、通常の無線通信のハンドオーバと同等の性能は得られない。
【０００８】
さらに、移動端末と基地局にインターネットプロトコルが実装されていないため、移動端末の識別番号と電話番号とＩＰアドレスの管理を行う必要があるためにゲートキーパ３の変換テーブルが大きなものになってしまったり、基地局とネットワークの間にインタフェース装置が仲介させるために、基地局とインタフェース装置、およびインタフェース装置とネットワークとの間で伝送遅延が発生してハンドーオーバを実施するために不具合を生じるなどの問題がある。つまり、従来のＶｏＩＰシステムは、端末装置を移動端末としたときに、ハンドオーバにおける音声の途切れと遅延の問題が依然として存在する。また、移動端末と基地局がインターネットプロトコルを実装していないため、移動端末の識別番号と電話番号とＩＰアドレスの管理が必要になるなどのシステム上の問題も依然として解消されていない。
【０００９】
本発明は、上述の課題に鑑みてなされたもので、その目的とするところは、ＶｏＩＰシステムに移動端末を取り入れても、音声の途切れと遅延の少ないシームレスなハンドオーバを実施することができ、電話番号やＩＰアドレスを簡単に管埋ですることができるＶｏＩＰシステムを提供することにある。
【００１０】
【課題を解決するための手段】
上記の課題を解決するため、本発明は、インターネットで音声通話を行うＶｏＩＰシステムにおいて、インターネットプロトコルが実装され、自己のＩＰアドレスを持つ移動端末と、インターネットプロトコルが実装され、ネットワークとの接点を持って、前記ネットワークとの間でＩＰパケットによって構成されたデータの送受信を行うことができると共に、前記移動端末と移動体通信接続を実施することができて、所定のデータ領域に前記ＩＰパケットを挿入または抽出することができる基地局とを備えたことを特徴とするものである。
【００１１】
実施の形態においては、インターネットで音声通話を行うＶｏＩＰシステムにおいて、インターネットプロトコルが実装され、自己のＩＰアドレスを持つ移動端末と、インターネットプロトコルが実装され、ネットワークとの接点を持つ基地局と、基地局に内蔵され、周波数分割多元接続（ＦＤＭＡ：Ｆｒｅｑｕｅｎｃｙ　Ｄｉｖｉｓｉｏｎ　Ｍｕｌｔｉｐｌｅ　Ａｃｃｅｓｓ）、時分割多重接続（ＴＤＭＡ：Ｔｉｍｅ　Ｄｉｖｉｓｉｏｎ　Ｍｕｌｔｉｐｌｅ　Ａｃｃｅｓｓ）、または符号分割多元接続（ＣＤＭＡ：Ｃｏｄｅ　Ｄｉｖｉｓｉｏｎ　Ｍｕｌｔｉｐｌｅ　Ａｃｃｅｓｓ）の何れかによる移動体通信接続を実施して、割り当てられたチャネル、スロット、またはコードの何れかのデータ領域にＩＰパケットを挿入または抽出し、ネットワークとの間でＩＰパケットによって構成されたデータの送受信を行うインタフェース装置と、発着呼のシグナリングの制御を行うゲートウェイと、ゲートウェイに接続され、ＩＰパケットをルーティングするルータと、電話番号とＩＰアドレスの変換テーブルを持つゲートキーパと、有線区間を接続するディジタル専用線網、フレームリレー網、ＩＰ−ＶＰＮ、ＷＡＮ、ＬＡＮの何れかまたはこれらが混在するネットワーク・インフラとを備えている。
【００１２】
本発明のＶｏＩＰシステムでは、移動端末と基地局にインターネットプロトコルを実装して、移動端末にＩＰアドレスを持たせている。これによって、移動端末の識別番号を電話番号とＩＰアドレスに関連付けて管理する必要なくなり、電話番号とＩＰアドレスの変換テーブルのみあればよくなるので、変換テーブルを持つゲートキーパが極めて簡素化される。
【００１３】
また、本発明のＶｏＩＰシステムは、移動端末にハンドオーバが発生したとき、その移動端末が接続されている基地局及びその隣接の基地局、または全ての基地局に対して、移動端末へのデータをマルチキャストまたはブロードキャストで転送して、移動端末が位置登録されている基地局へのみ移動端末へのデータを無線で送信することを特徴とする。
【００１４】
この構成において、基地局にはインターネットプロトコルが実装されているため、移動端末にハンドオーバの要求があった場合には、その移動端末と通話している相手にハンドオーバ要求の情報を伝達する。通話相手は、ハンドオーバ要求の情報を受け取った後、ハンドオーバに関わる処理が終るまで、ハンドオーバしようとする移動端末と接続されている基地局及びその隣接の基地局、または全ての基地局に対して、ハンドオーバしようとする移動端末ヘのデータをマルチキャストまたはブロードキャストで転送して、ハンドオーバしようとする移動端末が位置登録された基地局へのみデータを無線送信している。マルチキャストまたはブロードキャストで転送している間に、移動端末の移行先基地局などの変更情報を通信情報と同時に転送して、移行準備が完全に終った時点でマルチキャストまたはブロードキャストの転送を終了する。これによって、移動端末のハンドオーバが発生した場合に、該当する呼を再接続して音声が途切れる時間を殆ど無くすことができる。
【００１５】
また、本発明のＶｏＩＰシステムにおいては、基地局は複数個によって構成され、複数の基地局は、上位装置またはマスタとなる基地局から定期的に同期信号を受信し、各基地局のデータは同期信号によって同期が取られていることを特徴とする。
【００１６】
つまり、移動端末がハンドオーバを実施する場合、ハンドオーバ前の基地局とハンドオーバ後の基地局が連続して移動端末へ下りデータを送信するために、ハンドオーバ前の基地局とハンドオーバ後の基地局は同期が取れていることが好ましい。そこで、本発明のＶｏＩＰシステムは、上位の基地局またはマスタ基地局から全てのスレーブ基地局に対して同期をとっているので、ハンドオーバ時に短時間で同期引き込みを行うことができる。したがって、ハンドオーバ時の音声の途切れもなく通常の移動体通信のハンドオーバと同等の性能が得られ、移動端末をＶｏＩＰシステムに取り入れても全く支障は生じない。尚、基地局間の同期を取る手段としては、基地局の上位設備（例えば基地局制御装置）またはマスタとなる基地局が各基地局に対して定期的に同期信号を送信し、スレーブとなる基地局がそれに追従する形態が一般的である。
【００１７】
【発明の実施の形態】
以下、図面を用いて、本発明におけるＶｏＩＰシステムの実施の形態を詳細に説明する。図１は、本発明におけるＶｏＩＰシステムの構成図である。本発明におけるＶｏＩＰシステムは、インターネットプロトコルが実装され、あらかじめＩＰアドレスを持つ移動端末１ａ〜１ｎと、インターネットプロトコルが実装され、ネットワーク５との接点を持つ複数の基地局６ａ，６ｂ〜６ｎと、シグナリングの制御を行うゲートウェイ２ａ，２ｂと、パケットをルーティングするルータ４ａ，４ｂ，４ｃと、電話番号とＩＰアドレスの変換テーブルを持つゲートキーパ３と、有線区間を接続するディジタル専用線網、フレームリレー網、ＩＰ−ＶＰＮ、ＷＡＮ、ＬＡＮなどのネットワーク５のインフラとを備えている。
【００１８】
また、各基地局６ａ，６ｂ〜６ｎは、それぞれ、ネットワーク５とのインタフェースとなるインタフェース装置７ａ，７ｂ〜７ｎを備えている。インタフェース装置７ａ，７ｂ〜７ｎは、周波数分割多元接続（ＦＤＭＡ）、時分割多重接続（ＴＤＭＡ）、または符号分割多元接続（ＣＤＭＡ）の何れかによる移動体通信接続を実施して、割り当てられたチャネル、スロット、またはコードの何れかのデータ領域にＩＰパケットを挿入または抽出し、ネットワークとの間でＩＰパケットによって構成されたデータの送受信を行う。尚、図１は、移動端末１ａが、基地局６ａから基地局６ｂへハンドオーバする状態を示している。
【００１９】
以下、一つの通信系統についてＶｏＩＰシステムの動作を説明する。移動端末１ａと基地局６ａとは無線によって移動通信接続され、インターネットプロトコルが実装された移動端末１ａから基地局６ａへはパケット化されたデータが送信される。同様に、インターネットプロトコルが実装された基地局６ａは、自己が備えるインタフェース装置７ａから自己に割り当てられたチャネル、スロット、またはコードの何れかのデータ領域よりＩＰパケットを抽出してネットワーク５へ送信する。また、基地局６ａから移動端末１ａへの下り通信は上述と逆の処理が行われる。
【００２０】
通話を開始するにあたっては、先ず、移動端末１は相手先の電話番号をダイヤルする。移動端末１では、シグナリング・プロトコルに基づいて、呼を接続するためのパケットをやり取りする。このとき、相手先のＩＰアドレスを知る必要があり、これはネットワーク５に接続されているゲートキーパ３に問い合わせて行われる。
【００２１】
ＶｏＩＰのシグナリング・プロトコルで最も多く利用されるものが、ＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ：電気通信標準化部門）で勧告された制御プロトコルに関する規格であるＨ．３２３である。図２は、Ｈ．３２３における発呼コールフローの一例である。Ｈ．３２３は、基本的には既存の電話網のプロトコルをベースとして、パケット網への適用とマルチメディアへの拡張を図ったものである。また、Ｈ．３２３とは異なり、ＨＴＴＰなどと同じテキスト系のインターネットプロトコルをベースとしているＳＩＰにおける発呼コールもある。図３はＳＩＰにおける発呼コールフローの一例である。
【００２２】
ＶｏＩＰのシグナリング・プロトコルでは、上記のＨ．３２３における発呼コールフロー（図２）、またはＳＩＰにおける発呼コールフローの二通りのいずれかを使用するのが一般的である。図３のように、シグナリング・プロトコルにＳＩＰを用いる場合は、ゲートウェイ２ａ，２ｂをプロキシ・サーバ、ゲートキーパ３をロケーション・サーバと呼ぶ。ルータ４ａ，４ｂ，４ｃはパケットの経路を決定するものであり、ゲートウェイ２ａ，２ｂがそれぞれルータ４ａ，４ｂに搭載されている場合もある。
【００２３】
図２に示すＨ．３２３における発呼コールフローの流れを図１のＶｏＩＰシステムに適用して説明する。移動端末１ａが通話を開始するときは、先ず、移動端末１ａは相手先の電話番号をダイヤルする。そして、移動端末１ａは、シグナリング・プロトコルに基づいて呼を接続するためのパケットをやり取りする。このとき、移動端末１ａは通話相手先のＩＰアドレスを知る必要があり、これはネットワーク５に接続されているゲートキーパ３に問い合わせて行われる。
【００２４】
つまり、移動端末１ａは、相手先の電話番号をダイヤルして発呼するとき、ゲートキーパ３へＡＲＱ（Ａｄｍｉｓｓｉｏｎ　Ｒｅｑｕｅｓｔ：許可要求）を送信する（ステップＳ１）。すると、ゲートキーパ３は、接続認可申請を行うと共に電話番号をＩＰアドレスに変換し、発信元の移動端末１ａに対してＡＣＦ（Ａｄｍｉｓｓｉｏｎ　Ｃｏｎｆｉｒｍａｔｉｏｎ：確認応答）を送信する（ステップＳ２）。そして、移動端末１ａは、相手先の移動端末に対してＳＥＴＵＰ（Ｃａｌｌ　Ｓｅｔｕｐ：呼設定）を行う（ステップＳ３）。
【００２５】
これによって、相手先の移動端末は、ゲートキーパ３に対してＡＲＱ（Ａｄｍｉｓｓｉｏｎ　Ｒｅｑｕｅｓｔ：許可要求）を送信し（ステップＳ４）、ゲートキーパ３からＡＣＦ（Ａｄｍｉｓｓｉｏｎ　Ｃｏｎｆｉｒｍａｔｉｏｎ：確認応答）を受信して接続認可申請を行う（ステップＳ５）。さらに、相手先の移動端末は、発信元の移動端末１ａに対してＡＬＥＲＴ（Ａｌｅｒｔｏｎｇ：呼出）を送信すると共に（ステップＳ６）、ＣＯＮＮＥＣＴ（Ｃａｌｌ　Ｃｏｎｎｅｃｔ：応答）を送信する（ステップＳ７）。このようにして呼を接続するための制御が終了すると、発信元の移動端末１ａと相手先の移動端末との間で通話が開始される（ステップＳ８）。尚、図中において、太い矢印は、ＲＡＳ（Ｒｅｌｉａｂｉｌｉｔｙ　Ａｖａｉｌａｂｉｌｉｔｙ　Ｓｅｒｖｉｃｅａｂｉｌｉｔｙ：信頼性、可用性、保守性）メッセージの流れを示し、細い矢印は呼シグナリングメッセージの流れを示している。
【００２６】
図２の発呼コールフローのようにして呼を接続するための制御が終了すると通話が開始されるが、移動端末１ａには通話中にハンドオーバが発生する場合がある。例えば、図１に示すように、移動端末１ａが基地局６ａと通信を行いながら移動すると基地局６ｂへハンドオーバする。移動端末１ａが、現在接続されている基地局６ａからの電界強度が規定の閾値を下回って、別の基地局６ｂからの電界強度がそれを上回った場合は、移動端末１ａからハンドオーバの要求が行われる。
【００２７】
すると、通話相手の移動端末はハンドオーバが発生したことを知り、宛先を変更する必要がある。このとき、ハンドオーバを瞬時に行うために、図２の発呼コールフローに示すような再発呼の制御を行うと、音声の途切れと音声遅延が激しいものとなってしまう。したがって、通話相手の端末装置は、ハンドオーバ要求の情報を受け取った後に、ハンドオーバに関わる処理が終るまで、ハンドオーバを実施する移動端末１ａと接続されている基地局６ａ及びその隣接の基地局に対して、移動端末１ａへのデータをマルチキャストまたはブロードキャストで転送し、移動端末１ａが位置登録されている基地局（例えば６ａ，６ｂ）に対してのみ移動端末１ａへのデータを無線送信する。
【００２８】
これにより、移動端末１ａは、音声の途切れと音声遅延の少ないシームレスなハンドオーバを実行することができる。ＬＡＮなどのように閉鎖された小規模なネットワークにおいてこのＶｏＩＰシステムを適用する場合、十分な帯域が用意されていれば、全ての基地局にデータを転送しても問題とならない。したがって、全ての基地局にデータを転送することによってＶｏＩＰシステムの制御が容易になる。また、移動端末と通信する相手は必ずしも移動端末である必要はなく、片方が固定端末であったり、図４に示すような従来技術と同様に、ＶｏＩＰシステムによって固定端末と固定端末が通話することもできる。さらに、基地局がインタフェース装置を備えているので、外部の電話網との通話も可能である。また、ＶｏＩＰシステムは、音声をデータとしてパケット通信するので、音声通話と同時にデータ通信も可能である。
【００２９】
次に、図３に示すシグナリング・プロトコルにＳＩＰを用いた場合の発呼コールフローの流れを、図１のＶｏＩＰシステムに適用して説明する。移動端末１ａが通話を開始するときは、移動端末１ａは、プロキシ・サーバ（ゲートウェイ２ａ）に対してＩＮＶＩＴＥ（メッセージ参加要求）を送信する（ステップＳ１１）。すると、プロキシ・サーバ（ゲートウェイ２ａ）とロケーション・サーバ（ゲートキーパ３）との間で、移動端末１ａのメッセージ参加要求に関する問い合わせが行われる（ステップＳ１２）。さらに、プロキシ・サーバ（ゲートウェイ２ａ）から通話相手の移動端末へＲＩＮＧ（発呼）が行われると共に（ステップＳ１３）、移動端末１ａからロケーション・サーバ（ゲートキーパ３）へＳＥＴＵＰ（Ｃａｌｌ　Ｓｅｔｕｐ：呼設定）が行われる（ステップＳ１４）。
【００３０】
さらに、通話相手の移動端末は、プロキシ・サーバ（ゲートウェイ２ａ）へ１８０Ｈｚの周波数でＲｉｎｇｉｎｇ（リンギング）を行い（ステップＳ１５）、プロキシ・サーバ（ゲートウェイ２ａ）から発信元の移動端末１ａへＲｉｎｇｉｎｇ（リンギング）を行う（ステップＳ１６）。同時に、通話相手の移動端末は、プロキシ・サーバ（ゲートウェイ２ａ）へ２０００ＫＨｚの周波数で応答信号を送信し（ステップＳ１７）、さらに、プロキシ・サーバ（ゲートウェイ２ａ）から発信元の移動端末１ａへ応答信号を送信する（ステップＳ１８）。すると、移動端末１ａからプロキシ・サーバ（ゲートウェイ２ａ）へＡＣＫ（Ａｃｋｎｏｗｌｅｄｇｅ：肯定応答）が送信され（ステップＳ１９）、さらに、プロキシ・サーバ（ゲートウェイ２ａ）から通信相手の移動端末へＡＣＫ（Ａｃｋｎｏｗｌｅｄｇｅ：肯定応答）が送信される（ステップＳ２０）。これによって、発信元の移動端末１ａと通信相手の移動端末との間で通話が行われる（ステップＳ２１）。
【００３１】
このようにして、図３のＳＩＰによる発呼コールフローに沿って呼を接続するための制御が行われると通話が開始されるが、移動端末１ａには通話中にハンドオーバが発生する場合がある。このとき、通話相手の移動端末は、ハンドオーバ要求の情報を受け取った後に、ハンドオーバに関わる処理が終るまで、ハンドオーバを実施する移動端末１ａと接続されている基地局６ａ及びその隣接の基地局に対して、移動端末１ａへのデータをマルチキャストまたはブロードキャストで転送し、移動端末１ａが位置登録されている基地局（例えば６ａ，６ｂ）に対してのみ移動端末１ａへのデータを無線で送信する。これにより、移動端末１ａは、音声の途切れと音声遅延の少ないシームレスなハンドオーバを実行することができる。
【００３２】
つまり、実施の形態における移動端末を取り入れたＶｏＩＰシステムによれば、基地局にインタフェース装置を備えてインターネットプロトコルを実装すると共に、移動端末にもインターネットプロトコルを実装してＩＰアドレスを持たせている。さらに、移動端末にハンドオーバが発生したときには、通話相手の移動端末は、移動端末が接続されている基地局及びその隣接の基地局、または全ての基地局に対して、移動端末へのデータをマルチキャストまたはブロードキャストで転送している。そして、移動端末が位置登録されている基地局に対してのみ移動端末へのデータを無線で送信している。従って、移動端末は、音声が途切れたり音声遅延を生じることなくスムーズにハンドオーバを実行することができる。また、ハンドオーバ前後での基地局間の同期を取るために、マスタの基地局からスレーブとなる多数の基地局に対して定期的に同期信号を送信している。このようにして基地局間で同期をとることによって音声が途切れることなくスムーズにハンドオーバを実行することができる。
【００３３】
以上述べた実施の形態は本発明を説明するための一例であり、本発明は、上記の実施の形態に限定されるものではなく、発明の要旨の範囲で種々の変形が可能である。上記の実施の形態では移動端末同士の通信でハンドオーバする場合について述べたが、移動端末から固定端末へ通信するときのハンドオーバにつても本発明のＶｏＩＰシステムが適用できることはいうまでもない。
【００３４】
【発明の効果】
以上説明したように、本発明のＶｏＩＰシステムによれば、ＶｏＩＰシステムに移動端末を取り入れても、音声の途切れと音声遅延の少ないシームレスなハンドオーバを実施することができる。また、移動端末の識別番号と電話番号とＩＰアドレスの管理を行う必要がないので、電話番号やＩＰアドレスの変換テーブルは小さなものでよく、それらの管理が簡素化される。
【図面の簡単な説明】
【図１】本発明におけるＶｏＩＰシステムの構成図である。
【図２】Ｈ．３２３における発呼コールフローの一例である。
【図３】ＳＩＰにおける発呼コールフローの一例である。
【図４】端末装置として固定端末を適用した場合の従来のＶｏＩＰシステムの構成図である。
【図５】端末装置として移動端末を適用した場合の従来のＶｏＩＰシステムの構成図である。
【符号の説明】
１ａ〜１ｎ　移動端末、２ａ，２ｂ，１２ａ，１２ｂ　ゲートウェイ、３，１３　ゲートキーパ、４ａ，４ｂ，４ｃ，１４ａ，１４ｂ，１４ｃ　ルータ、５，１５　ネットワーク、６ａ，６ｂ〜６ｎ、８ａ，８ｂ〜８ｎ　基地局、７ａ，７ｂ〜７ｎ、７ａ’，７ｂ’〜７ｎ’　インタフェース装置、１１ａ，１１ｂ〜１１ｎ　固定端末。
【図１】
2004056336.tif 000003
【図２】
2004056336.tif 000004
【図３】
2004056336.tif 000005
【図４】
2004056336.tif 000006
【図５】
2004056336.tif 000007